(57)【要約】      （修正有）【課題】人工知能が含まれる自動化設備により特許文献の構成部と図面との関連の自動判断を実現することができる特許文献の画像自動表示装置を提供する。【解決手段】特許文献の画像自動表示装置は１００、図面番号配分定義モジュールと、図面対番号対応定義モジュールと、明細書対図面対応定義モジュールと、画像表示モジュールとを備え、特許文献の構成部が対応する図面を表示させる。【選択図】図１
2020135865.tif 000002
【特許請求の範囲】
【請求項１】
少なくとも図面の簡単な説明の特許セクション、発明を実施するための形態の特許セクション及び図面の特許セクションを有する特許文献の構成部が対応する図面を表示する特許文献の画像自動表示装置であって、
プロセッサの計算により前記特許文献の前記図面の簡単な説明の特許セクションにおいての表示図面番号を読み取り、前記特許文献の図面番号配分データを得て、前記図面番号配分データをメモリーに保存させる図面番号配分定義モジュールと、
前記図面番号配分定義モジュールに接続し、前記プロセッサの計算により前記メモリーから前記図面配分データを得て、かつ前記特許文献の前記図面の特許セクションの各図面を読み取り、前記図面番号配分データの前記表示図面番号に基いて、前記図面の特許セクションの各図面が対応する図面対応番号を定義して図面対番号対応データを得て、そして前記図面対番号対応データを前記メモリーに保存させる図面対番号対応定義モジュールと、
前記図面対番号対応定義モジュールに接続し、前記プロセッサの計算により前記メモリーから前記図面対番号対応データを得て、かつ前記図面対番号対応データ及び前記特許文献の前記発明を実施するための形態の特許セクションに存在する前記図面対応番号の位置に基いて、前記発明を実施するための形態の特許セクションの各構成部が対応する前記図面の特許セクションにおける図面を定義して明細書対図面対応データを得て、そして前記明細書対図面対応データを前記メモリーに保存させる明細書対図面対応定義モジュールと、
前記明細書対図面対応定義モジュールに接続し、前記プロセッサの計算により前記メモリーから前記明細書対図面対応データを得ることにより、前記構成部が選択された時、前記明細書対図面対応データに基いて、前記構成部に対応する前記図面を表示する画像表示モジュールと、
が含まれる特許文献の画像自動表示装置。
【請求項２】
前記図面対番号対応定義モジュールにさらに図面数量配分計算サブモジュールが含まれ、前記図面数量配分計算サブモジュールが前記プロセッサの計算により前記図面の特許セクションの各図面が対応する前期図面対応番号が定義される前に、前記図面の特許セクションの各ページをスキャンし、各ページが備える図面の数を定義することにより前記特許文献の図面数量データと図面配分データを得てメモリーに保存させ、前記図面対番号対応定義モジュールが前記図面数量データ、前記図面配分データ及び前記番号配分データに基いて前記図面対番号対応データを定義し、前記図面番号対応データをメモリーに保存させることを特徴とする請求項１に記載する特許文献の画像自動表示装置。
【請求項３】
前記明細書対番号対応定義モジュールが前記発明を実施するための形態の特許セクションに存在する一つの前記図面対応番号から次の前記図面対応番号の間の前記構成部を上述一つの前記図面対応番号に対応させることを特徴とする請求項１に記載する画像自動表示装置。
【請求項４】
発明を実施するための形態の特許セクション前記明細書対番号対応定義モジュールが前記発明を実施するための形態の特許セクションに存在する前記図面対応番号から次の前記図面対応番号の間の文を上述一つの前記図面対応番号に対応させるであることを特徴とする請求項１に記載する特許文献の画像自動表示装置。
【請求項５】
特許請求の範囲の特許セクションの構成要素名詞または連接関係定義を選択する場合、前記画像表示モジュールが前記構成要素名詞あるいは前記連接関係定義が前記発明を実施するための形態の特許セクションに存在する位置により、該当位置における対応する図面を表示することを特徴とする請求項１に記載する特許文献の画像自動表示装置。
【請求項６】
前記画像表示モジュールが選択される前記構成部及び前記構成部に対応する図面を表示させることを特徴とする請求項１に記載する特許文献の画像自動表示装置。
【請求項７】
前記画像表示モジュールが前記構成部に対応する前記図面を表示スクリーンに固定して、前記構成部の縦スクロールを許す状態で前記図面を表示させることを特徴とする請求項６に記載する特許文献の画像自動表示装置。
【請求項８】
前記画像表示モジュールが前記発明を実施するための形態の特許セクションの一つの段落が複数の図面に対応する場合に前記複数の図面を表示させるように設置されることを特徴とする請求項６に記載する特許文献の画像自動表示装置。
【発明の詳細な説明】
【技術分野】
【０００１】
本発明は特許文献の画像自動表示装置に関する。
【背景技術】
【０００２】
特許文献の分析は専門的な作業であり、特許文献の各特許セクション（要約、技術分野、背景技術、発明の概要、図面の簡単な説明、発明を実施するための形態、特許請求の範囲及び図面が含まれる）を仔細に読取り、かつ各特許セクションを照合する必要がある。一般的には、特許の閲覧者は特許文献の技術内容を簡潔に、正確に理解するため、図面を繰り返し確認する必要がある。しかしながら、図面と他の特許セクションが異なる位置に位置しており、特許の閲覧者が特許文書を度々読み返さなければならず、非常に不便である。また、特許の閲覧者は閲覧中の構成部が対応する明細書の段落及び図面を自力で判断する必要があり、繰り返し照合を行う中、無駄な集中力と時間が消耗され、その上間違える可能性もあり、さらに時間が掛かることになる。
【０００３】
故に、如何に人工知能を導入し、自動化した設備を用いて特許文献の構成部と図面との関連を自動的に判断させて構成させ、そして特許の閲覧者に最適な明細書と図面の表示方法を自動的に提供するかが重要であり、特に如何に特許の閲覧者に図式の自動表示を提供するかに関しての課題がある。
【発明の概要】
【発明が解決しようとする課題】
【０００４】
故に、本発明の目的は人工知能が含まれる自動化設備により特許文献の構成部と図面との関連の自動判断を実現し、人工知能が含まれる自動化設備により特許文献の構成部が対応する図面を前記構成部と同時に表示させ、特許の閲覧者がより正確的に、そしてより素早く、より効率的に特許文献の読み取りが行えるように補助し、自動化させた設備により特許文献の画像自動表示装置を提供する。
【課題を解決するための手段】
【０００５】
前述の問題を解決する為に、本発明の課題は少なくとも図面の簡単な説明の特許セクション、発明を実施するための形態の特許セクション及び図面の特許セクションを有する特許文献の構成部に対応する図面を表示する特許文献の画像自動表示装置であって、プロセッサの計算により前記特許文献の前記図面の簡単な説明の特許セクションにおいての表示図面番号を読み取り、前記特許文献の図面番号配分データを得て、前記図面番号配分データをメモリーに保存させる図面番号配分定義モジュールと、前記図面番号配分定義モジュールに接続し、前記プロセッサの計算により前記メモリーから前記図面配分データを得て、かつ前記特許文献の前記図面の特許セクションの各図面を読み取り、前記図面番号配分データの前記表示図面番号に基いて、前記図面の特許セクションの各図面が対応する図面対応番号を定義して図面対番号対応データを得て、そして前記図面対番号対応データを前記メモリーに保存させる図面対番号対応定義モジュールと、前記図面対番号対応定義モジュールに接続し、前記プロセッサの計算により前記メモリーから前記図面対番号対応データを得て、かつ前記図面対番号対応データ及び前記特許文献の前記発明を実施するための形態の特許セクションに存在する前記図面対応番号の位置に基いて、前記発明を実施するための形態の特許セクションの各構成部が対応する前記図面の特許セクションにおける図面を定義して明細書対図面対応データを得て、そして前記明細書対図面対応データを前記メモリーに保存させる明細書対図面対応定義モジュールと、前記明細書対図面対応定義モジュールに接続し、前記プロセッサの計算により前記メモリーから前記明細書対図面対応データを得ることにより、前記構成部が選択された時、前記明細書対図面対応データに基いて、前記構成部に対応する前記図面を表示する画像表示モジュール、が含まれる特許文献の画像自動表示装置を提供することである。
【０００６】
本発明の一つの実施形態では前記図面対番号対応定義モジュールにさらに図面数量配分計算サブモジュールが含まれ、前記図面数量配分計算サブモジュールが前記プロセッサの計算により前記図面の特許セクションの各図面が対応する前期図面対応番号が定義される前に、前記図面の特許セクションの各ページをスキャンし、各ページが備える図面の数を定義することにより前記特許文献の図面数量データと図面配分データを得てメモリーに保存させ、前記図面対番号対応定義モジュールが前記図面数量データ、前記図面配分データ及び前記番号配分データに基いて前記図面対番号対応データを定義し、前記図面番号対応データをメモリーに保存させることを特徴とする特許文献の画像自動表示装置を提供する。
【０００７】
本発明の一つの実施形態では前記明細書対番号対応定義モジュールが前記発明を実施するための形態の特許セクションに存在する一つの前記図面対応番号から次の前記図面対応番号の間の前記構成部を上述一つの前記図面対応番号に対応させることを特徴とする特許文献の画像自動表示装置を提供する。
【０００８】
本発明の一つの実施形態では発明を実施するための形態の特許セクション前記明細書対番号対応定義モジュールが前記発明を実施するための形態の特許セクションに存在する前記図面対応番号から次の前記図面対応番号の間の文を上述一つの前記図面対応番号に対応させるであることを特徴とする特許文献の画像自動表示装置を提供する。
【０００９】
本発明の一つの実施形態では特許請求の範囲の特許セクションの構成要素名詞または連接関係定義を選択する場合、前記画像表示モジュールが前記構成要素名詞あるいは前記連接関係定義が前記発明を実施するための形態の特許セクションに存在する位置により、該当位置における対応する図面を表示することを特徴とする特許文献の画像自動表示装置を提供する。
【００１０】
本発明の一つの実施形態では前記画像表示モジュールが選択される前記構成部及び前記構成部に対応する図面を表示させることを特徴とする特許文献の画像自動表示装置を提供する。
【００１１】
本発明の一つの実施形態では前記画像表示モジュールが前記構成部に対応する前記図面を表示スクリーンに固定して、前記構成部の縦スクロールを許す状態で前記図面を表示させることを特徴とする特許文献の画像自動表示装置を提供する。
【００１２】
本発明の一つの実施形態では前記画像表示モジュールが前記発明を実施するための形態の特許セクションの一つの段落が複数の図面に対応する場合に前記複数の図面を表示させるように設置されることを特徴とする特許文献の画像自動表示装置を提供する。
【発明の効果】
【００１３】
本発明の特許文献の画像自動表示装置は以下の効果を有する。本発明の特許文献の画像自動表示装置は人工知能を備えた自動化設備であり、特許文献の構成部と図面との関連の自動判断を実現し、人工知能が含まれる自動化設備により特許文献の構成部が対応する図面を前記構成部と同時に表示させ、特許の閲覧者がより正確的に、そしてより素早く、より効率的に特許文献の読み取りが行えるように補助することができる。
【図面の簡単な説明】
【００１４】
【図１】本発明の一つの実施形態の特許文献の画像自動表示装置を示すブロック図である。
【図２】特許文献を表示する構成部を示す図である。
【図３】本発明の一つの実施形態の特許文献の画像自動表示装置の図面対番号対応データを示す図である。
【図４】本発明の一つの実施形態の特許文献の画像自動表示装置の図面対番号定義モジュールを示すブロック図である。
【図５】特許文献画像特許セクションを表示する構成部を示す図である。
【図６】特許文献の発明を実施するための形態の特許セクションを示す図である。
【図７】本発明の一つの実施形態の特許文献の画像自動表示装置の明細書対図面対応データを示す図である。
【図８】本発明の一つの実施形態の特許文献の画像自動表示装置の図面表示モジュールの表示画面を示す図である。
【図９】本発明の一つの実施形態の特許文献の画像自動表示装置の図面表示モジュールの表示画面を示す図である。
【図１０】本発明の一つの実施形態の特許文献の画像自動表示装置の図面表示モジュールの表示画面を示す図である。
【発明を実施するための形態】
【００１５】
以下は図１〜図１０に基いて、本発明の実施形態について説明する。該当説明は本発明の実施形態の一つの例示にすぎず、本発明の実施形態を限定するものではない。
【００１６】
図１は本発明の一つの実施形態に基いた特許文献の図面自動表示装置のシステム構造のブロック図であり、前記特許文献の図面自動表示装置１００は特許文献の構成部が対応する対応図面を表示させる。本発明の以下の実施形態では英語の特許明細書を例に挙げて説明するが、本発明はその限りではなく、いずれの言語の特許明細書にも利用可能である。特許文献には要約と、技術分野と、背景技術と、発明の概要と、図面の簡単な説明と、発明を実施するための形態と、特許請求の範囲と図面複数と、複数の特許セクションが含まれる。前記構成部は一つの特許セクションにおける一つの段落である。例えば、前記構成部が：前記発明を実施するための形態の特許セクションの段落、前記発明を実施するための形態の特許セクションのサブ段落、または前記特許請求の範囲の特許セクションの連接関係であってもいい。図２が示すように、前記段落Ｓは段落に指し、前記サブ段落ＳＳは一つの段落におけるサブ段落である。
【００１７】
本発明の特許文献の画像自動表示装置は、人工知能を備えた自動化設備により、特許文献の構成部と図面との関連の自動判断を実現して、特許文献の構成部が対応する図面を前記構成部と同時に表示させることが特徴である。
【００１８】
本発明の一つの実施形態の前記特許文献の画像自動表示装置１００は  図面番号配分定義モジュール１が含まれ、前記図面番号定義モジュール１がプロセッサＰの計算により前記特許文献の図面の簡単な説明の特許セクションの表示番号を読み取り、前記特許文献の図面番号配分データを得て、前記図面番号配分データをメモリーＭに保存させる。
【００１９】
図面の簡単な説明（英語の特許明細書の図面簡単説明（ＢＲＩＥＦ  ＤＥＳＣＲＩＰＴＩＯＮ  ＯＦ  ＴＨＥ  ＤＲＡＷＩＮＧＳ））は特許文献の特許セクションであり、一般的には以下のような表示形態である：「
ＢＲＩＥＦ  ＤＥＳＣＲＩＰＴＩＯＮ  ＯＦ  ＴＨＥ  ＤＲＡＷＩＮＧＳ
Ｔｈｅ  ａｂｏｖｅ  ａｎｄ  ｏｔｈｅｒ  ｏｂｊｅｃｔｓ，  ｆｅａｔｕｒｅｓ  ａｎｄ  ａｄｖａｎｔａｇｅｓ  ｏｆ  ｔｈｅ  ｐｒｅｓｅｎｔ  ｉｎｖｅｎｔｉｏｎ  ｗｉｌｌ  ｂｅ  ｍａｄｅ  ｍｏｒｅ  ａｐｐａｒｅｎｔ  ｂｙ  ｔｈｅ  ｆｏｌｌｏｗｉｎｇ  ｄｅｓｃｒｉｐｔｉｏｎ  ｏｆ  ｔｈｅ  ｐｒｅｆｅｒｒｅｄ  ｅｍｂｏｄｉｍｅｎｔｓ  ｔｈｅｒｅｏｆ，  ｗｉｔｈ  ｒｅｆｅｒｅｎｃｅ  ｔｏ  ｔｈｅ  ａｃｃｏｍｐａｎｙｉｎｇ  ｄｒａｗｉｎｇｓ，  ｗｈｅｒｅｉｎ：
ＦＩＧ．  １ａ  ｓｈｏｗｓ  ａ  ｓｃｈｅｍａｔｉｃ  ｃｏｎｆｉｇｕｒａｔｉｏｎ  ｏｆ  ａ  ｒｏｂｏｔ  ｓｙｓｔｅｍ  ａｃｃｏｒｄｉｎｇ  ｔｏ  ｔｈｅ  ｐｒｅｓｅｎｔ  ｉｎｖｅｎｔｉｏｎ；
ＦＩＧ．  １ｂ  ｓｈｏｗｓ  ａ  ｄｅｔａｉｌｅｄ  ｃｏｎｓｔｉｔｕｔｉｏｎ  ｏｆ  ａ  ｒｏｂｏｔ  ｃｏｎｔｒｏｌｌｅｒ  ａｓ  ｓｈｏｗｎ  ｉｎ  ＦＩＧ．  １ａ；
ＦＩＧ．  ２  ｓｈｏｗｓ  ａ  ｄｉｓｐｌａｙ  ｏｆ  ａ  ｔｅａｃｈｉｎｇ  ｏｐｅｒａｔｉｏｎ  ｐａｎｅｌ  ｏｆ  ｔｈｅ  ｒｏｂｏｔ  ｃｏｎｔｒｏｌｌｅｒ；
ＦＩＧ．  ３  ｓｈｏｗｓ  ａｎ  ｅｘａｍｐｌｅ  ｏｆ  ａ  ｓｅｔｔｉｎｇ  ｄｉｓｐｌａｙ  ｏｆ  ｔｈｅ  ｃｏｍｐｏｓｉｔｉｏｎ  ｏｆ  ａ  ｃｏｎｔｒｏｌ  ｎｅｔｗｏｒｋ．
」。
【００２０】
本発明の前記図面番号配分定義モジュール１が、プロセッサＰの計算により前記図面の簡単な説明の特許セクションを読み取り、前記図面の簡単な説明の特許セクションから複数の図面対応番号（即ち「Ｆｉｇ．  １ａ」、「Ｆｉｇ．  １ｂ」、「Ｆｉｇ．  ２」、「Ｆｉｇ．  ３」）を読み取り、得られた複数の図面対応番号が即ち：前記特許文献の図面番号配分データであり、前記図面番号配分データが各図面対応番号の存在及びその配分を説明し、特に「Ｆｉｇ．  １ａ」及び「Ｆｉｇ．  １ｂ」のような番号に英字が振り分けられた番号の存在を説明する。前記図面番号配分データがメモリーＭに保存される。
【００２１】
図３が示すように、本発明の一つの実施形態の前記特許文献の自動表示装置１００は図面対番号対応定義モジュール２が含まれ、前記図面対番号対応定義モジュール２が前記図面番号配分定義モジュール１に接続し、前記プロセッサＰの計算により前記メモリーＭから前記図面配分データを得て、かつ前記特許文献の前記図面の特許セクションの各図面を読み取り、前記図面番号配分データの前記表示図面番号に基いて、前記図面の特許セクションの各図面が対応する図面対応番号を定義して図面対番号対応データを得て、そして前記図面対番号対応データを前記メモリーＭに保存させる。
【００２２】
即ち、図３が示すように、本発明の前記特許文献の前記図面対番号対応定義モジュール２が前記メモリーＭから前記図面番号配分データを得て（即ち、「Ｆｉｇ．  １ａ」、「Ｆｉｇ．  １ｂ」、「Ｆｉｇ．  ２」、「Ｆｉｇ．  ３」）、かつ前記図面の特許セクションにおける図面を読み取り、前記図面の特許セクションの各図面を得ると、前記図面番号配分データにおける番号を順序に前記図面の特許セクションにおける各図Ｆ１、Ｆ２、Ｆ３、Ｆ４に対応させて、その対応関係を図面対番号対応データとして作成する。図３が示した前記図面対番号対応データをメモリーＭに保存させる。前記図面対番号対応定義モジュール２が前記図面の特許セクションの図面を読み取ることで、各図面が対応する図面対応番号を生成する。
【００２３】
図４が示すように、本発明の一つの実施形態では、前記図面対番号対応モジュール２にさらに図面数量配分計算サブモジュール２１が含まれ、前記図面数量配分計算サブモジュール２１が前記プロセッサＰの計算により前記図面の特許セクションの各図面が対応する前期図面対応番号が定義される前に、前記図面の特許セクションの各ページをスキャンし、各ページが備える図面の数を定義することにより前記特許文献の図面数量データと図面配分データを得てメモリーＭに保存させ、前記図面対番号対応定義モジュール２が前記図面数量データ、前記図面配分データ及び前記番号配分データに基いて前記図面対番号対応データを定義し、前記図面番号対応データをメモリーＭに保存させる。
【００２４】
即ち、図５が示すように、図面の特許セクションは一般的に複数のページで構成され、それぞれのページには一つ又は二つ以上の図面が含まれている。前記図面数量配分計算サブモジュール２１がさらに各ページが備える図面の数を数える。前記図面数量配分計算サブモジュール２１が前記図面の特許セクションの各図面を読み取り、前記図面の特許セクションの各ページを読み取って、図面の集合の面積、図面の集合の形状などの特徴により各ページが備える図面の数を定義する。一つの実施形態では、ＰｙｔｈｏｎのライブラリにあるＯｐｅｎＣＶを使用し、ＯｐｅｎＣＶによる図面の面積、形状及び照合の機能を使用することにより、一つのページに含まれる図面の数を判断することができる。例えば、間隔閾値として８％を設定することにより、一つのページにおいては二つの画像がそれぞれ３０％及び６０％の面積を占めていて、かつその間には１０％の面積が開いている（閾値８％を超えた）場合、そのページが二つの図面が含まれていると判断することができる。これにより前記特許文献の図面の数量データ及び図面配分データを得ることができる。例えば、図５が示すように、３ページが含まれる図面の特許セクションにおいて、１ページ目では一つの図面が含まれ、２ページ目では二つの図面が含まれ、３ページ目では一つの図面が含まれる場合、前記図面の特許セクションには合計四つの図面が含まれることになり、かつ二つ目と三つ目の図面が２ページ目に位置される。合計四つの図面が含まれることが前記図面数量データに記録され、各ページが含まれる図面が前記図面配分データに記録されて、メモリーＭに保存させることになる。
【００２５】
図１が示すように、本発明の一つの実施形態の前記特許文献の画像自動表示装置１００は明細書対図面対応定義モジュール３が含まれて、前記明細書対図面対応定義モジュール３が前記図面対番号対応定義モジュール２に接続し、前記プロセッサＰの計算により前記メモリーＭから前記図面対番号対応データを得て、前記図面対番号対応データ及び前記特許文献の前記発明を実施するための形態の特許セクションに存在する前記図面対応番号の位置に基いて、前記発明を実施するための形態の特許セクションの各構成部が対応する前記図面の特許セクションにおける図面を定義して明細書対図面対応データを得て、そして前記明細書対図面対応データを前記メモリーＭに保存させる。
【００２６】
即ち、前記明細書対図面対応定義モジュールは前記特許文献の前記発明を実施するための形態の特許セクションの各構成部（前記発明を実施するための形態の特許セクションの段落、サブ段落、或いは特許請求の範囲の特許セクションの構成要素名詞または連接関係定義が含まれる）のそれぞれが対応する図面を定義させる。本発明の一つの実施形態では、前記特許文献の発明を実施するための形態の特許セクションに存在する前記図面対応番号の位置により前記発明を実施するための形態の特許セクションの各構成部が対応する前記図面対応番号が定義される。
【００２７】
図６が示すように、一つ目の段落Ｓ１において、初めて現した図面対応番号があり、前記図面対応番号の名称は「ＦＩＧ．  １ａ」で、一つ目の段落Ｓ１において他の図面対応番号がいない。故に、前記一つ目の段落Ｓ１が図面対応番号「ＦＩＧ．  １ａ」に対応するものである。二つ目の段落Ｓ２において、図面対応番号がない。故に前記二つ目の段落Ｓ２が前の段落Ｓ１の図面対応番号「ＦＩＧ．  １ａ」に対応するものである。即ち、二つ目の段落Ｓ２が対応する図面対応番号が「ＦＩＧ．  １ａ」である。三つ目の段落Ｓ３において、図面対応番号「ＦＩＧ．  １ｂ」が現していて、かつ前記図面対応番号「ＦＩＧ．  １ｂ」が前記三つ目の段落Ｓ３の中央に現したものである。故に前記図面対応番号「ＦＩＧ．  １ｂ」の前のサブ段落ＳＳ３１が対応する図面対応番号は「ＦＩＧ．  １ａ」であり、前記図面対応番号「ＦＩＧ．  １ｂ」の後のサブ段落ＳＳ３２が対応する図面対応番号は「ＦＩＧ．  １ｂ」である。なお、本発明の他の実施形態では、前記明細書対番号対応定義モジュール３が前記発明を実施するための形態の特許セクションにおいてに表した前記図面対応番号から次の前記図面対応番号までの間の文章を前述現した前記図面対応番号に対応させてもいい。
【００２８】
図７が示すように、前記図面対番号対応定義モジュール２では既に前記図面対番号対応データ（即ち、前記図面の特許セクションにおける各図面が対応する図面対応番号）及び前記明細書対図面対応データ（即ち、前記）が得られた為、前記図面対番号対応データ及び前記明細書対図面対応データによって前記発明を実施するための形態の特許セクションの段落またはサブ段落が対応する前記図面を構成することができる。
【００２９】
図１が示すように、本発明の実施形態において、本発明の特許文献の画像自動表示装置１００では画像表示モジュール４が含まれて、前記画像表示モジュール４が前記明細書対図面対応定義モジュール３に接続し、前記プロセッサＰの計算により前記メモリーＭから前記明細書対図面対応データを得ることにより、前記構成部が選択された時、前記明細書対図面対応データに基いて、前記構成部に対応する前記図面を表示する。
【００３０】
前述のように、前記図面の特許セクションの図面数量データが前記図面配分データの番号の合計数に差が存在する場合、前記差の値が２より大きい場合、全部の図面を表示する。当然、本発明は前記差に限らない。
【００３１】
図８が示すように、本発明の実施形態の特許文献の画像自動表示装置１００が、特許請求の範囲の特許セクションの構成要素名詞または連接関係定義を選択する場合、前記画像表示モジュール４が前記構成要素名詞あるいは前記連接関係定義が前記発明を実施するための形態の特許セクションに存在する位置により、該当位置における対応する図面を表示する。例えば、前記構成要素名詞ＥＮまたは前記連接関係定義ＲＤを選択する場合、発明を実施するための形態の特許セクションから前記構成要素名詞ＥＮまたは前記連接関係定義ＲＤの段落またはサブ段落を見つけ出して、前記段落またはサブ段落が有する図面対応番号が対応する図面を表示させる。
【００３２】
図９が示すように、本発明の実施形態の特許文献の画像自動表示装置１００が、前記画像表示モジュール４が選択された前記構成部及び前記構成部の前記図面対応番号に対応する図面を表示させる。例えば、「ｒｏｂｏｔ」の構成要素名詞番号「３」を選択すると、左側に枠線に囲われる「Ｆｉｇ．  １ａ」が表示される。
【００３３】
図１０が示すように、本発明の実施形態の特許文献の画像自動表示装置１００が、図におけるカーソルが前記発明を実施するための形態の特許セクションにおいての各段落（Ｓ１、Ｓ２及びＳ３）に移動されることにより、例えば、カーソルが段落Ｓ２に移動される場合、前記段落Ｓ２が対応する図面を固定して表示させる。前記画像表示モジュール４が前記構成部の前記図面対応番号に対応する前記図面を表示スクリーンに固定して表示させる（即ち、図１０の左側の画面が固定である）、前記構成部の縦スクロール操作（図１０における両矢印が示すように）により画面をスクロールすることを許す状態にして、使用者が図１０のようにカーソルをいずれの段落Ｓ２に指す時、前記段落Ｓ２が対応するすべての図面を表示させる。
【００３４】
図９及び図１０が示すように、本発明の実施形態の特許文献の画像自動表示装置１００が、前記画像表示モジュール４が前記発明を実施するための形態の特許セクションの一つの段落が複数の図面に対応する場合に前記複数の図面を表示させるように設置される。
【００３５】
本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３６】
１００  特許文献の画像自動表示装置
１  図面番号配分定義モジュール
２  図面対番号対応定義モジュール
２１  図面数量配分計算サブモジュール
３  明細書対図面対応定義モジュール
４  画像表示モジュール
ＥＮ  構成要素名詞
Ｆ１、Ｆ２、Ｆ３、Ｆ４  図面
Ｍ  メモリー
Ｐ  プロセッサ
ＲＤ  連接関係定義
Ｓ  段落
Ｓ１、Ｓ２、Ｓ３  段落
ＳＳ、ＳＳ３１、ＳＳ３２  サブ段落
【図１】
2020135865.tif 000003
【図２】
2020135865.tif 000004
【図３】
2020135865.tif 000005
【図４】
2020135865.tif 000006
【図５】
2020135865.tif 000007
【図６】
2020135865.tif 000008
【図７】
2020135865.tif 000009
【図８】
2020135865.tif 000010
【図９】
2020135865.tif 000011
【図１０】
2020135865.tif 000012